(57)【要約】【課題】  外気を取り入れる開口を有する衣服であって、衣服を着脱することなく襟と後頸部との間の隙間の大きさを簡単に調整することができる衣服を提供することを目的とする。【解決手段】  本発明に係る衣服１は、後見頃２０に形成され、外部の空気を取り入れる開口３０と、襟５０の周に沿って装着され、塑性変形可能な形状保持部材６０とを備える。形状保持部材６０は、襟５０の高さ方向の所定の幅を有する帯状の繊維からなる基材６１と、基材６１に結合されており襟５０の周方向に延びる線材６２とを有する。基材６１が襟５０に縫合されることで、形状保持部材６０が襟５０に装着されている。【選択図】  図２
2019123954.tif 000002
【特許請求の範囲】
【請求項１】
見頃に形成され、外部の空気を取り入れる開口と、
襟の周に沿って装着され、塑性変形可能な形状保持部材とを備える
ことを特徴とする衣服。
【請求項２】
前記形状保持部材が帯状である
ことを特徴とする請求項１に記載の衣服。
【請求項３】
前記形状保持部材が、
前記襟の高さ方向の所定の幅を有する帯状の繊維からなる基材と、
前記基材に結合されており、前記襟の周方向に延びる線材とを有する
ことを特徴とする請求項２に記載の衣服。
【請求項４】
前記形状保持部材が前記線材を複数有し、
複数の前記線材が互いに平行に配置されて前記基材に結合されている
ことを特徴とする請求項３に記載の衣服。
【請求項５】
前記線材が樹脂からなる
ことを特徴とする請求項３又は４に記載の衣服。
【請求項６】
前記基材が前記襟に縫合されている
ことを特徴とする請求項３〜５のいずれかに記載の衣服。
【発明の詳細な説明】
【技術分野】
【０００１】
本発明は衣服に関し、特に外部の空気を内部に導入して身体を冷却する衣服に関する。
【背景技術】
【０００２】
夏の野外のような高温環境の下で着用される衣服として、外部の空気を内部に導入し、汗の気化熱で身体を冷却するような衣服が用いられている。この衣服は、外部の空気を導入するための開口が設けられており、その開口にはファンが取り付けられている。このファンを作動すると、強制的に空気が内部に取り入れられ、着用者の身体と衣服との間の空間を通り、外部に放出される。着用者の身体の周りを空気が流れることによって、身体が冷却されることになる。
【０００３】
衣服内部の空気が外部に排出される出口として、襟や袖口がある。このうち、襟から排出される空気は、血管が集中する首回りを冷やすため、特に重要な役割を果たす。しかし、着用者の態勢によっては首と襟との間の隙間が閉塞されることがある。この場合、衣服内部の空気が外に排出されず、着用者の身体と衣服との間の空間を流れる空気の流量が減り、身体全体の冷却機能が損なわれる。また、首回りを冷却することもできなくなる。
【０００４】
そのため、衣服の内部の空気が確実に外部に排出されるよう、襟後部と身体の後頸部との間に隙間を形成するような機構を有する衣服が知られている（特許文献１参照）。特許文献１には、衣服の襟の下部であって服地の内表面に設けられた調整ベルトと貫通孔の組合せについて開示されている。特許文献１に係る衣服では、調整ベルトの端に設けられた留め具を貫通孔に留めることにより、衣服の襟の後部に弛みができ、後頸部と襟との間に隙間ができ、空気の排出口が形成される（特許文献１、図３参照）。
【０００５】
ところで、体感温度は空気の流量によって変化し、一般的に、空気の流量が多いと体感温度は下がり、少ないと体感温度は上がる。そして流量は、排出口の大きさによって変化し、排出口が大きいと風量は多くなり、排出口が小さいと風量は少なくなる。
【０００６】
例えば、体感温度が十分下がり、これ以上の冷却が必要ないような場合は、風量を少なくするべく、排出口を小さくしてやればよい。しかし特許文献１に開示されている衣服の場合、排出口である後頸部と襟との間の隙間の大きさを調整するには、調整ベルトを操作する必要がある。調整ベルトを操作するには、一旦衣服を脱いで調整ベルトを操作するという手間が必要となる。
【先行技術文献】
【特許文献】
【０００７】
【特許文献１】特開２０１５−７４８５２号公報
【発明の概要】
【発明が解決しようとする課題】
【０００８】
上記問題点を鑑みて、本発明は、衣服を着脱することなく襟と首との間の隙間の大きさを簡単に調整することができる衣服を提供することを目的とする。
【課題を解決するための手段】
【０００９】
本発明は、上記課題を解決するためになされたもので、請求項１に記載の発明は、見頃に形成され、外部の空気を取り入れる開口と、襟の周に沿って装着され、塑性変形可能な形状保持部材とを備えることを特徴とする。なお、身頃には前身頃及び後見頃が含まれる。
【００１０】
請求項２に記載の発明は、前記形状保持部材が帯状であることを特徴とする。
【００１１】
請求項３に記載の発明は、前記形状保持部材が、前記襟の高さ方向の所定の幅を有する帯状の繊維からなる基材と、前記基材に結合されており、前記襟の周方向に延びる線材とを有することを特徴とする。
【００１２】
請求項４に記載の発明は、前記形状保持部材が前記線材を複数有し、複数の前記線材が互いに平行に配置されて前記基材に結合されていることを特徴とする。
【００１３】
請求項５に記載の発明は、前記線材が樹脂からなることを特徴とする。
【００１４】
請求項６に記載の発明は、前記基材が前記襟に縫合されていることを特徴とする。
【発明の効果】
【００１５】
本発明によれば、身体を冷却する衣服であって、着用したまま襟と首との間の隙間の大きさを調整することが可能な衣服を提供することができる。
【図面の簡単な説明】
【００１６】
【図１】本発明の実施形態に係る衣服を示す正面図である。
【図２】本発明の実施形態に係る衣服を示す背面図である。
【図３】本発明の実施形態に係る衣服の形状保持部材を示す図であって、（ａ）は正面図であり、（ｂ）は（ａ）のＢ−Ｂ断面を示す断面図である。
【図４】図２のＡ−Ａ断面を模式的に示す断面図である。
【図５】本発明の実施形態に係る衣服を着用した場合の空気の流れを説明する図であって、身体を省略して後見頃を見た背面図である。
【図６】図５のＣ−Ｃ矢視を示す矢視図であって、（ａ）は後頸部と襟との間の隙間が小さくなるよう形状保持部材の形状が調整された状態の図であり、（ｂ）は後頸部と襟との間の隙間が大きくなるよう形状保持部材の形状が調整された状態の図である。
【発明を実施するための形態】
【００１７】
次に、本発明に係る衣服の実施形態について図面を参照しながら説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１８】
［実施形態］
本発明に係る衣服の構成について、図１〜４に基づき説明する。図１は、本発明の実施形態に係る衣服を示す正面図である。図２は、本発明の実施形態に係る衣服を示す背面図である。図３は、本発明の実施形態に係る衣服の形状保持部材を示す図であって、（ａ）は正面図であり、（ｂ）は（ａ）のＢ−Ｂ断面を示す断面図である。図４は、図２のＡ−Ａ断面を模式的に示す断面図である。
【００１９】
まず、本発明の実施形態に係る衣服の構造について、図１及び図２に基づき説明する。衣服１は前身頃１０、後見頃２０、袖４０及び襟５０を備えており、これらが縫い合わされて一体の衣服１を構成している。後見頃２０には、二つの円形の開口３０，３０が設けられている。襟５０には、その周に沿って、形状保持部材６０が装着されている。左右の前身頃１０，１０は、ファスナー１１で閉じられるよう構成されている。また、前身頃１０及び後見頃２０には、着用時に裾において身体との間の隙間を締められるように、ゴム、ベルト、ひも、ボタン等、周の長さを調整する手段が設けられている。
【００２０】
図２に示される開口３０，３０には、それぞれファン（図示省略）が取り付けられる。ファンを作動することによって、外部の空気が開口３０を通じて衣服１の内部に取り入れられる。このファンはバッテリー（図示省略）により駆動され、衣服１の内部に設けられたバッテリー収容部（図示省略）に収容される。
【００２１】
また、後見頃２０の裏地には冷却材収容部２５が設けられている。本実施形態における冷却材収容部２５は、四角形のメッシュ状の布片が後見頃２０の裏地に縫い付けられて、ポケット状に構成されている。冷却材収容部２５には、液体やゲルなどを凍結させた冷却材（図示省略）を収容することができる。この冷却材が衣服内を流れる空気の温度を低下させることで、冷却効果をさらに高めることが可能となる。
【００２２】
次に、襟５０に装着された形状保持部材６０について図１〜３に基づいて説明する。形状保持部材６０は、図３に示すように帯状の形状を有している。そして形状保持部材６０は、図１及び図２に示すように、襟５０の周に沿って、左肩近傍から後ろを通り右肩近傍までに亘り、湾曲した状態で装着されている。
【００２３】
図３に示すように、形状保持部材６０は帯状の基材６１と線状の線材６２，・・・，６２とが結合されて構成されている。線材６２，・・・，６２は、基材６１の長手方向に延びるよう配置され、互いに平行に配置されている。線材６２，・・・，６２同士の間には隙間６１ａ，・・・，６１ａが設けられている。
【００２４】
線材６２は塑性変形可能な樹脂からなる部材であり、具体的には、線材６２を折り曲げると容易に弾性域を超えて塑性変形し、スプリングバックする角度が小さいという性質を持つ。すなわち手の力の自由に折り曲げられ、かつ変形後の形状を保つことができる。
【００２５】
なお、線材６２の樹脂の種類は任意であるが、ポリオレフィン、ポリアミド、ポリエステル、ポリフェニレンサルファイド及びポリフェニレンオキサイドなどが、塑性変形性に優れた折り曲げ特性を有する糸状物を構成するうえで好適であり、特にポリオレフィン又はポリエステルをベースとするものが好ましい。
【００２６】
基材６１は繊維の織物で構成されており、線材６２を織り込んで、一体としての形状保持部材６０を形成している。これにより、形状保持部材６０が全体として塑性変形可能な帯状の部材として構成される。すなわち形状保持部材６０は、人の手で折り曲げて所望の形状に形成して、その形状を保持することが可能となる。
【００２７】
次に、どのように形状保持部材６０が襟５０に装着されているのかについて、図４に基づいて説明する。図４には、襟５０及び形状保持部材６０の断面が模式的に示されている。まず、襟５０の構成について説明する。襟５０は、襟表地５１、襟裏地５２及び当て布５３を有する。襟表地５１及び襟裏地５２は縫合線５４，５４で互いに縫い合わされて、その間に空間を形成している。形状保持部材６０は縫合線５５で当て布５３に縫合され、襟表地５１と襟裏地５２との間の空間に収容されている。そして当て布５３が、縫合線５６，５６で襟表地５１に縫い合わされている。このとき、帯状の形状保持部材６０はその長手方向を襟５０の周方向に沿うように配置されている。これにより、形状保持部材６０の線材６２が、襟５０の周方向に延びるよう配置されることになる。
【００２８】
形状保持部材６０と当て布５３とを縫い合わせる縫合線５５は、基材６１における線材６２同士の隙間６１ａを通っている。そのため、線材６２が切断されることなく、形状保持部材６０が襟５０に確実に結合されている。形状保持部材６０は襟５０に縫い合わされているため、形状保持部材６０が襟５０に対してずれることなく、しっかりと一体となっている。衣服１を着用した時に首筋に接触するのは襟裏地５２となり、形状保持部材６０が身体に直接接触することはない。
【００２９】
なお、図１及び図２に示すように、形状保持部材６０の幅は、襟５０全体の高さのうち、下の約三分の一程度を占めるように構成されている。すなわち襟５０は、形状保持部材６０が装着されて剛性の高い襟下部５０ｂと、布地だけで剛性が低くやわらかい襟上部５０ａとを有することになる。これにより、襟５０の周方向については湾曲するよう変形させてその形状を保持することが可能であり、襟５０の幅方向については自由に折り曲げることができる。たとえば、後頸部に直接物が当たるのを防止したい場合には襟上部５０ａを立てることもできる。また後頸部を開放したい場合は、襟上部５０ａを下に折り曲げることも可能となる。
【００３０】
次に、本実施形態に係る衣服１を着用して身体を冷却する方法について、図５及び図６に基づいて説明する。図５は、本発明の実施形態に係る衣服を着用した場合の空気の流れを説明する図であって、身体を省略して後見頃を見た背面図である。図６は、図５のＣ−Ｃ矢視を示す矢視図であって、（ａ）は後頸部と襟との間の隙間が小さくなるよう形状保持部材の形状が調整された状態の図であり、（ｂ）は後頸部と襟との間の隙間が大きくなるよう形状保持部材の形状が調整された状態の図である。
【００３１】
図５に示すように、衣服１を着用して開口３０に取り付けられたファン（図示省略）を作動させると、流線Ｆで示すように開口３０を通じて外部から空気が衣服１の内部に流入する。衣服１の内部に流入した空気は、冷却材収容部２５に収容された冷却材（図示省略）により冷却される。そして、衣服１の内部の空気は流線Ｆで示す方向に上昇し、後頸部と襟５０との間に形成された隙間Ｇから排出される。空気が開口３０から入り隙間Ｇから出るまで過程において、身体の、主に胴体が冷却されるとともに、首元が冷却される。冷却の効果は空気の流量によって変化し、空気の流量は、隙間Ｇの大きさで変化する。
【００３２】
隙間Ｇの大きさは、形状保持部材６０の形状を調整することによって変えることができる。図６（ａ）に示すように、形状保持部材６０を、首Ｎの周にほぼ沿うような曲率半径で曲げると、襟５０も首Ｎにほぼ沿うことになり、隙間Ｇは小さくなる。そして空気の流量は少なくなり、冷却効果は弱くなる。これに対して、図６（ｂ）に示すように、形状保持部材６０を、首Ｎよりも小さな曲率半径で曲げると、隙間Ｇが大きくなる。そして空気の流量が多くなり、冷却効果が強くなる。
【００３３】
形状保持部材６０は衣服１を着用したままで変形させることができる。すなわち、襟５０に装着されている形状保持部材６０を、着用者自身が手で狭めて曲率半径を小さくしたり、手で広げて曲率半径を大きくしたり、自在に変形させることができる。
【００３４】
また、形状保持部材６０の形状を調整することにより、後頸部と襟との間の隙間だけでなく、首の側方と襟との間の隙間の大きさも調整可能であり、これにより首回り全周からの空気の排出を調整することができる。
【００３５】
形状保持部材６０は所定の幅を有する帯状であるため、襟下部５０ｂに関しては高さ方向についてほぼ同じ曲率半径となる。そのため、後頸部と襟５０との間に形成された隙間Ｇが、局部的に閉塞されるおそれは少ない。
【００３６】
［変形例］
前述の実施形態の衣服１において、二つの開口３０，３０が後見頃２０に設けられているが、開口の場所及び数は任意に設定することができる。すなわち、前身頃１０に開口を設けることもできる。また、前述の実施形態の衣服１では開口３０は円形であるが、形状も任意に設定することができる。
【００３７】
また、前述の実施形態において冷却材収容部２５は、開口３０，３０の中間付近に設けられているが、任意の位置に配置することができる。また複数の冷却材収容部を設けることもでき、省略することも可能である。
【００３８】
また、前述の実施形態における形状保持部材６０に関して、基材６１は織物で構成されているが、編物や不織布などの任意の繊維で構成することもできる。また、線材６２の本数も任意に設定することができる。前述の実施形態では、線材６２は基材６１に織り込まれて一体化されているが、接着などの任意の方法で線材６２と基材６１とを結合することもできる。さらに、線材６２は樹脂に限られず、針金のような塑性変形可能な金属で構成することも可能である。
【００３９】
また、形状保持部材６０全体を、塑性変形可能な金属の薄片から構成することも可能である。
【００４０】
また前述の実施形態においては、形状保持部材６０は当て布５３に縫合され、当て布５３が襟表地５１に縫合されることで、形状保持部材６０が襟５０に装着される構成となっていたが、形状保持部材６０を襟表地５１又は襟裏地５２に直接縫合することも可能である。また前述の実施形態においては、形状保持部材６０は襟５０の内部（襟表地５１と襟裏地５２との間）に収容されるよう構成されていたが、襟５０の外部に露出するよう配置することも可能である。また、襟５０を構成する生地の構成や縫合線の位置も適宜に変更することができる。
【００４１】
その他に、衣服１の肩部に厚手の布地、スポンジ、ウレタン等を装着して、肩パッドを構成することも可能である。肩パッドを装着することにより衝撃吸収性が向上するのはもちろん、衣服１の肩部周辺の剛性が高まり、これにより肩部周辺及び襟の形状が崩れにくくなる。
【００４２】
また、衣服１の後見頃２０に、命綱を出すための孔を適宜設けることも可能である。
【符号の説明】
【００４３】
１      衣服
１０    前身頃
１１    ファスナー
２０    後見頃
２５    冷却材収容部
３０    開口
４０    袖
５０    襟
５０ａ  襟上部
５０ｂ  襟下部
５１    襟表地
５２    襟裏地
５３    当て布
５４    縫合線
５５    縫合線
５６    縫合線
６０    形状保持部材
６１    基材
６１ａ  隙間
６２    線材
Ｆ      流線
Ｇ      隙間
Ｎ      首
【図１】
2019123954.tif 000003
【図２】
2019123954.tif 000004
【図３】
2019123954.tif 000005
【図４】
2019123954.tif 000006
【図５】
2019123954.tif 000007
【図６】
2019123954.tif 000008
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
見頃に形成され、外部の空気を取り入れる開口と、
襟の周に沿って装着され、塑性変形可能な形状保持部材とを備え、
前記形状保持部材が、
前記襟の高さ方向の所定の幅を有する帯状の繊維の織物からなる基材と、
前記基材に織り込まれており、前記襟の周方向に延び互いに平行に配置された複数の線材とを有し、
前記線材同士の隙間を通る縫合線に沿って前記基材が前記襟に縫合されている
ことを特徴とする衣服。
【請求項２】
前記襟が、
襟表地と、
前記襟表地に縫合された襟裏地と、
前記襟表地と前記襟裏地との間に収容された当て布とを有し、
前記形状保持部材の前記基材が前記当て布に縫合されており、
前記当て布が前記襟表地に縫合されている
ことを特徴とする請求項１に記載の衣服。
【請求項３】
前記線材が樹脂からなる
ことを特徴とする請求項１又は２に記載の衣服。
【手続補正２】
【補正対象書類名】明細書
【補正対象項目名】０００９
【補正方法】変更
【補正の内容】
【０００９】
本発明は、上記課題を解決するためになされたもので、請求項１に記載の発明は、見頃に形成され、外部の空気を取り入れる開口と、襟の周に沿って装着され、塑性変形可能な形状保持部材とを備え、前記形状保持部材が、前記襟の高さ方向の所定の幅を有する帯状の繊維の織物からなる基材と、前記基材に織り込まれており、前記襟の周方向に延び互いに平行に配置された複数の線材とを有し、前記線材同士の隙間を通る縫合線に沿って前記基材が前記襟に縫合されていることを特徴とする。なお、身頃には前身頃及び後見頃が含まれる。
【手続補正３】
【補正対象書類名】明細書
【補正対象項目名】００１０
【補正方法】変更
【補正の内容】
【００１０】
請求項２に記載の発明は、前記襟が、襟表地と、前記襟表地に縫合された襟裏地と、前記襟表地と前記襟裏地との間に収容された当て布とを有し、前記形状保持部材の前記基材が前記当て布に縫合されており、前記当て布が前記襟表地に縫合されていることを特徴とする。
【手続補正４】
【補正対象書類名】明細書
【補正対象項目名】００１１
【補正方法】変更
【補正の内容】
【００１１】
請求項３に記載の発明は、前記線材が樹脂からなることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】